(57)【要約】    【課題】積み重ねた際の安定性が良好なトレーを、提供すること。    【解決手段】物品を載せるためのトレー１０において、平面視矩形の底壁１と、４個の側壁２１〜２４からなる周壁２と、からなっており、周壁２は、下端から上端に向けて外方向に傾斜しており、周壁２の角部の上端部に、内向きに突出可能な可動片３１〜３４が形成されており、可動片３１〜３４には、可動片が内向きに突出した状態において他の同じトレー１０を上方から積み重ねた場合に他のトレー１０の底壁１と周壁２との角部２６〜２９が嵌まるような形態を有する、切欠き部４１〜４４が、形成されている。【選択図】図２
2017159915.tif 000002
【特許請求の範囲】
【請求項１】
物品を載せるためのトレーにおいて、
底壁と、前記底壁の周縁から前記底壁を囲むように立設している周壁と、からなっており、
前記周壁は、下端から上端に向けて外方向に傾斜しており、
前記周壁の周方向の少なくとも３箇所に、前記周壁の上端部の一部からなり且つ内向きに突出可能に形成された、可動片が、形成されており、
前記可動片には、前記可動片が内向きに突出した状態において他の同じトレーを上方から積み重ねた場合に前記他のトレーの底壁と周壁との角部が嵌まるような形態を有する、切欠き部が、形成されている、
ことを特徴とするトレー。
【請求項２】
前記底壁が、平面視矩形を有しており、
前記周壁が、４個の側壁からなっており、
前記可動片は、隣り合う側壁の角部の上端部の、所定高さと所定周方向長さとを有する、帯体からなっており、
前記帯体は、内向きに突出した状態において前記隣り合う側壁の角部に対向した角部を、有するように、形成されており、
前記切欠き部は、前記帯体の前記角部の上縁部に形成された凹部である、
請求項１記載のトレー。
【請求項３】
前記底壁が、平面視円形であり、
前記可動片は、前記周壁の略等間隔を置いた３箇所に形成されており、
前記可動片は、前記周壁の前記上端部の一部が所定周方向長さ分だけ内側に折り曲げ可能に形成された、縁片であり、
前記切欠き部は、前記縁片の上縁部に形成された凹部である、
請求項１記載のトレー。
【発明の詳細な説明】
【技術分野】
【０００１】
本発明は、物品を載せるためのトレーに関する。このトレーは、装飾品等の小物又は食品等を載せるのに使用でき、特に揚げたてのドーナツを載せるのに好適に使用できる。
【背景技術】
【０００２】
例えば特許文献１に示されるように、ドーナツを載せるためのトレーは、公知である。
【先行技術文献】
【特許文献】
【０００３】
【特許文献１】特開２０１５−１２８９９７号公報
【発明の概要】
【発明が解決しようとする課題】
【０００４】
しかしながら、特許文献１のトレーは、物品を展示したり物品を載せて把持したりする使用態様を、意図したものであり、積み重ねる使用態様を、意図したものではなかった。しかしながら、物品を載せた状態のトレーを保管したり運搬したりする際には積み重ねるのが好都合である、ということが、実際の使用においてわかってきた。しかるに、特許文献１のトレーでは、積み重ねた状態が少々不安定であった。
【０００５】
本発明は、積み重ねた際の安定性が良好なトレーを、提供することを目的とする。
【課題を解決するための手段】
【０００６】
本発明は、物品を載せるためのトレーにおいて、底壁と、前記底壁の周縁から前記底壁を囲むように立設している周壁と、からなっており、前記周壁は、下端から上端に向けて外方向に傾斜しており、前記周壁の周方向の少なくとも３箇所に、前記周壁の上端部の一部からなり且つ内向きに突出可能に形成された、可動片が、形成されており、前記可動片には、前記可動片が内向きに突出した状態において他の同じトレーを上方から積み重ねた場合に前記他のトレーの底壁と周壁との角部が嵌まるような形態を有する、切欠き部が、形成されている、ことを特徴としている。
【０００７】
本発明は、更に、次の構成（ａ）又は（ｂ）を採用できる。
（ａ）前記底壁が、平面視矩形を有しており、前記周壁が、４個の側壁からなっており、前記可動片は、隣り合う側壁の角部の上端部の、所定高さと所定周方向長さとを有する、帯体からなっており、前記帯体は、内向きに突出した状態において前記隣り合う側壁の角部に対向した角部を、有するように、形成されており、前記切欠き部は、前記帯体の前記角部の上縁部に形成された凹部である。
【０００８】
（ｂ）前記底壁が、平面視円形であり、前記可動片は、前記周壁の略等間隔を置いた３箇所に形成されており、前記可動片は、前記周壁の前記上端部の一部が所定周方向長さ分だけ内側に折り曲げ可能に形成された、縁片であり、前記切欠き部は、前記縁片の上縁部に形成された凹部である。
【発明の効果】
【０００９】
本発明によれば、可動片が切欠き部を有しているので、トレーを安定して積み重ねることができる。
【００１０】
前記構成（ａ）よれば、矩形の箱形のトレーを安定して積み重ねることができる。
【００１１】
前記構成（ｂ）によれば、円形の箱形のトレーを安定して積み重ねることができる。
【図面の簡単な説明】
【００１２】
【図１】本発明の第１実施形態のトレーを示す斜視図であり、第１使用態様を示している。
【図２】本発明の第１実施形態のトレーを示す斜視図であり、第２使用態様を示している。
【図３】図２のIII矢視図である。
【図４】図１のトレーの拡大部分図であり、突出前の１個の可動片を示している。
【図５】図２のトレーの拡大部分図であり、突出後の１個の可動片を示している。
【図６】第１実施形態のトレーを積み重ねた状態を示す図である。
【図７】第１実施形態のトレーの展開図である。
【図８】ドーナツを載せた第１実施形態のトレーを示す斜視図である。
【図９】本発明の第２実施形態のトレーを示す斜視図であり、第１使用態様を示している。
【図１０】本発明の第２実施形態のトレーを示す斜視図であり、第２使用態様を示している。
【図１１】図９のＸＩ矢視図である。
【図１２】第２実施形態のトレーの平面図である。
【図１３】第２実施形態のトレーを積み重ねた状態を示す図である。
【発明を実施するための形態】
【００１３】
［第１実施形態］
図１及び図２は、本発明の第１実施形態のトレーを示す斜視図である。図１は第１使用態様を示し、図２は第２使用態様を示している。図３は、図２のIII矢視図である。第１使用態様は、物品を載せて展示したり物品を載せて把持したりする用途に使用できる。第２使用態様は、第１使用態様の用途に加え、物品を載せた状態で積み重ねる用途に、使用できる。
【００１４】
トレー１０は、底壁１と周壁２とからなっている。周壁２は、底壁１の周縁１１から底壁１を囲むように立設しており、これにより、トレー１０は、深さの浅い矩形の箱形を呈している。
【００１５】
底壁１は、平面視矩形を有している。周壁２は、４個の側壁すなわち前側壁２１、右側壁２２、後側壁２３、左側壁２４からなっている。前側壁２１は底壁１の前縁１１１から立設しており、右側壁２２は底壁１の右縁１１２から立設しており、後側壁２３は底壁１の後縁１１３から立設しており、左側壁２４は底壁１の左縁１１４から立設している。各側壁２１、２２、２３、２４は、図３に示されるように、下端から上端に向けて外方向に角度αだけ傾斜している。なお、図３では、右側壁２２及び左側壁２４の、傾斜が、示されている。
【００１６】
なお、前側壁２１は、上部中央に上方延在部２１１を有している。上方延在部２１１は、基端折目２１１１によって内側へ倒れ込むように折り曲げ可能に、形成されている。
【００１７】
周壁２の周方向の４箇所には、可動片３が形成されている。すなわち、前側壁２１と右側壁２２との角部２６には可動片３１が形成されており、右側壁２２と後側壁２３との角部２７には可動片３２が形成されており、後側壁２３と左側壁２４との角部２８には可動片３３が形成されており、左側壁２４と前側壁２１との角部２９には可動片３４が形成されている。
【００１８】
図４及び図５に基づいて、可動片３２について説明する。図４に示されるように、可動片３２は、角部２７の上端部に形成された帯体３２１からなっている。この帯体３２１は、所定高さＨと所定周方向長さＬとを有している。帯体３２１は、下縁に沿った切断線３２４によって角部２７に対して可動となっており、また、帯体３２１の両縁３２２は、外側から見て山折り可能に形成されており、また、帯体３２１の周方向中央は、外側から見て谷折り可能に形成されている。これにより、可動片３２は、内向きに突出可能となっている。図５は、可動片３２が内向きに（矢印Ｘ方向に）突出した状態を示している。図５において、谷折りされた周方向中央は、角部３２３を構成しており、この角部３２３は、角部２７に対向している。そして、可動片３２には、切欠き部４２が形成されている。切欠き部４２は、帯体３２１の角部３２３の上縁部の中央部に形成された凹部である。
【００１９】
他の可動片３１、３３、３４も、可動片３２と同様の構成を有しており、すなわち、帯体３１１、３３１、３４１からなり、切欠き部４１、４３、４４を有している。そして、全ての切欠き部４１、４２、４３、４４は、図６に示されるように、全ての可動片３１、３２、３３、３４が内向きに突出した状態において他の同じトレー１０を上方から積み重ねる場合に他のトレー１０の底壁１と周壁２との角部２６、２７、２８、２９が嵌まるように、形成されている。
【００２０】
図７は、前記構成のトレー１０の展開図である。トレー１０は、所定形状の１枚の紙器用板紙１００から形成されている。板紙１００は、底壁１と、底壁１の４辺に谷折り線１０１、１０２、１０３、１０４を介して連続している前側壁２１、右側壁２２、後側壁２３、左側壁２４と、前側壁２１の両側に谷折り線１１１、１１２を介して連続している耳片５１、５２と、右側壁２２の両側に谷折り線１１３、１１４を介して連続している耳片５３、５４と、からなっている。前側壁２１は、上縁部の中央部に上方延在部２１１を有している。上方延在部２１１は、谷折り線（基端折目）２１１１を有している。なお、可動片３１、３２、３３、３４は、切断線３１４、３２４、３３４、３４４を有している。
【００２１】
板紙１００からトレー１０への組立は、次のように行う。まず、前側壁２１、右側壁２２、後側壁２３、左側壁２４を、谷折り線１０１、１０２、１０３、１０４に沿って、谷折りする。次に、耳片５１、５２、５３、５４を、谷折り線１１１、１１２、１１３、１１４に沿って、谷折りする。そして、耳片５１、５３を右側壁２２に接合し、耳片５２、５４を左側壁２４に接合する。これにより、図１の態様のトレー１０が得られる。図１のトレー１０において、可動片３１、３２、３３、３４を内向きに突出させると、図２の第２使用態様のトレー１０が得られる。
【００２２】
前記構成のトレー１０によれば、次のような効果を発揮できる。
（１）図８に示されるように、例えばドーナツ２００を載せて展示できる。
（２）更に、図８に示されるように、上方延在部２１１を内側へ倒すように折り曲げることができるので、上方延在部２１１と底壁１とによって、載せられたドーナツ２００を挟むように把持できる。
（３）図２に示されるように、可動片３１、３２、３３、３４を突出させることができるので、載せられたドーナツ（図示せず）が側壁２１、２２、２３、２４を越えて脱落するのを、可動片３１、３２、３３、３４によって防止できる。
【００２３】
（４）図２に示された第２使用態様により、図６に示されるような安定した積み重ね状態を実現できる。すなわち、上方のトレー１０の底壁１と周壁２との角部２６、２７、２８、２９を、下方のトレー１０の突出した可動片３１、３２、３３、３４の切欠き部４１、４２、４３、４４に上方から嵌めることができるので、トレー１０を安定して積み重ねることができる。なお、この積み重ねは、図８の状態のトレー１０であっても、すなわち、ドーナツが載せられた状態、更には上方延在部２１１が折り曲げられた状態の、トレー１０であっても、同様に、安定して実現できる。
【００２４】
［第２実施形態］
図９及び図１０は、本発明の第２実施形態のトレーを示す斜視図である。図９は第１実施形態と同様の第１使用態様を示し、図１０は第１実施形態と同様の第２使用態様を示している。本実施形態は、底壁１Ａが平面視円形である点が、第１実施形態に比して大きく異なっている。すなわち、トレー１０Ａは、平面視円形の底壁１Ａと、底壁１Ａの周縁１１Ａから底壁１Ａを囲むように立設した周壁２Ａと、からなっている。これにより、トレー１０Ａは、深さの浅い円形の箱形を呈している。周壁２Ａは、図９のＸＩ矢視図である図１１に示されるように、下端から上端に向けて外方向に角度αだけ傾斜している。図１２は、図１０のトレー１０Ａの平面図である。
【００２５】
そして、周壁２Ａの略等間隔を置いた３箇所に、可動片６１、６２、６３が形成されている。可動片６１、６２、６３は、周壁２Ａの上端部の一部が所定周方向長さＬＡ分（図１１）だけ内側に折り曲げ可能に形成された、縁片６１１、６２１、６３１である。
【００２６】
例えば、可動片６１において、縁片６１１は、下縁に沿った切断線６１４によって周壁２Ａに対して可動となっており、また、縁片６１１の両縁６１２は、外側から見て山折り可能に、形成されている。これにより、可動片６１は、図１０及び図１２に示されるように、内向きに突出可能となっている。そして、可動片６１には、切欠き部７１が形成されている。切欠き部７１は、縁片６１１の上縁部の中央部に形成された凹部である。
【００２７】
他の可動片６２、６３も、可動片６１と同様の構成を有しており、切欠き部７２、７３を有している。そして、全ての切欠き部７１、７２、７３は、図１３に示されるように、全ての可動片６１、６２、６３が内向きに突出した状態において他の同じトレー１０Ａを上方から積み重ねた場合に他のトレー１０Ａの底壁１Ａと周壁２Ａとの角部２０Ａ（図１１）が嵌まるように、形成されている。
【００２８】
前記構成のトレー１０Ａによれば、次のような効果を発揮できる。
（１）第１実施形態と同様に、例えばドーナツを載せることができる。
（２）図１２に示されるように、可動片６１、６２、６３を突出させることができるので、載せられたドーナツ（図示せず）が周壁２Ａを越えて脱落するのを、可動片６１、６２、６３によって防止できる。
【００２９】
（３）図１０に示された第２使用態様により、図１３に示されるような安定した積み重ね状態を実現できる。すなわち、上方のトレー１０Ａの底壁１Ａと周壁２Ａとの角部２０Ａを、下方のトレー１０Ａの突出した可動片６１、６２、６３の切欠き部７１、７２、７３に上方から嵌めることができるので、トレー１０Ａを安定して積み重ねることができる。なお、この積み重ねは、ドーナツが載せられた状態のトレー１０Ａであっても、同様に、安定して実現できる。
【００３０】
［変形構成］
（１）可動片の数は、第１実施形態の４個及び第２実施形態の３個に、限るものではない。可動片は、周壁の周方向の少なくとも３箇所に、形成されていればよい。なお、一般的には、可動片は、周壁が角部を有する場合には、角部に形成されるのが好ましい。
【００３１】
（２）底壁は、第１実施形態の平面視矩形及び第２実施形態の平面視円形に、限るものではない。底壁は、平面視において、三角形又は五角形以上の多角形でもよい。なお、底壁は、平面視において、正三角形、正四角形、又は正五角形以上の正多角形であるのが、好ましい。
【産業上の利用可能性】
【００３２】
本発明のトレーは、安定して積み重ねることができるので、産業上の利用価値が大である。
【符号の説明】
【００３３】
１、１Ａ  底壁  ２、２Ａ  周壁  ２１  前側壁  ２２  右側壁  ２３  後側壁
２４  左側壁  ２６、２７、２８、２９  角部
３１、３２、３３、３４、６１、６２、６３  可動片
３１１、３２１、３３１、３４１  帯体  ３２３  角部
４１、４２、４３、４４、７１、７２、７３  切欠き部
６１１、６２１、６３１  縁片
１０、１０Ａ  トレー
【図１】
2017159915.tif 000003
【図２】
2017159915.tif 000004
【図３】
2017159915.tif 000005
【図４】
2017159915.tif 000006
【図５】
2017159915.tif 000007
【図６】
2017159915.tif 000008
【図７】
2017159915.tif 000009
【図８】
2017159915.tif 000010
【図９】
2017159915.tif 000011
【図１０】
2017159915.tif 000012
【図１１】
2017159915.tif 000013
【図１２】
2017159915.tif 000014
【図１３】
2017159915.tif 000015